(57)【要約】      （修正有）【課題】結合が容易な構造により、組立てが容易で使用状態を好適な状態に維持するＤＩＹボックスを提供する。【解決手段】板材１２は、折り曲げ可能である上、本体１４、多数の側板２０，３０、多数組の角部２２及び多数の厚み部３４を含む。本体１４は、板材１２の中央部に位置するとともに、多数の縁部を有する。側板２０，３０は、本体１４に対応した縁部に折り曲げ可能に接続される。角部２２の各組は、２つの角部２２を含むとともに、側板２０，３０の両端に折り曲げ可能に接続される。厚み部３４は、角部２２が設けられていない側板２０，３０に折り曲げ可能に接続される。側板２０，３０のそれぞれが本体１４に対して同じ方向で折り曲げられ、厚み部３４を有する側板２０，３０が、二つ折りされた厚み部３４と、両側の側板２０，３０が折り曲げられた角部２２とに接着される。【選択図】図１
0003191853.tif 000002
【実用新案登録請求の範囲】
【請求項１】
板材を含むＤＩＹボックスであって、
前記板材は、折り曲げ可能である上、本体、多数の側板、多数組の角部及び多数の厚み部を含み、
前記本体は、前記板材の中央部に位置するとともに、多数の縁部を有し、
前記側板は、前記本体に対応した前記縁部に折り曲げ可能に接続され、
前記角部の各組は、２つの角部を含むとともに、前記側板の両端に折り曲げ可能に接続され、
前記厚み部は、前記角部が設けられていない前記側板に折り曲げ可能に接続され、
前記側板のそれぞれが前記本体に対して同じ方向で折り曲げられ、前記厚み部を有する前記側板が、二つ折りされた前記厚み部と、両側の前記側板が折り曲げられた前記角部とに接着され、自ら組み立てることが可能なＤＩＹボックスが形成されることを特徴とするＤＩＹボックス。
【請求項２】
多数の両面接着テープをさらに含み、
前記接着テープは、前記厚み部を有する前記側板の外表面に接着された一面と、二つ折りされた前記厚み部と両側の側板が折り曲げられた前記角部とに接着された他面と、を有し、
前記２つの角部間には厚み部が形成されることを特徴とする請求項１に記載のＤＩＹボックス。
【請求項３】
前記本体は略矩形状であるとともに、１対の長辺及び１対の短辺を有し、
前記長辺は、折り曲げ可能な長側板と接続され、
前記短辺は、折り曲げ可能な短側板と接続され、
前記長側板の両端には、折り曲げ可能な角部が接続され、
前記短側板は、前記両面接着テープが内側面に接着され、折り曲げ可能な前記厚み部が外縁に延設されていることを特徴とする請求項２に記載のＤＩＹボックス。
【考案の詳細な説明】
【技術分野】
【０００１】
本考案は、自ら組み立てるＤＩＹ（Ｄｏ−Ｉｔ−Ｙｏｕｒｓｅｌｆ）ボックスの技術に関する。
【背景技術】
【０００２】
日常生活において、様々な瓶、缶などの容器を用いると小体積の物を容易に整理することができる上、物を探すことも容易になる。上述の容器は、金属、ガラス又はセラミックにより製作されることが一般的であり、錆が発生したり割れ易いなどの欠点を有するため、次第にプラスチック、ゴムなどの材料からなる容器により代替されてきている。
【０００３】
しかし、上述のような容器は一般に一体成形されているため、占有空間が大きすぎて搬送に不便であった。組み合わせ式の構造を採用した場合、保管したり搬送作業の期間中に取り外したり重ねたりすることができるため、占有空間を小さくすることができる上、ユーザ自らが組み立てて自分で作る楽しみを味あうこともできる。
【０００４】
従来、ＤＩＹ容器の種類は非常に多く、例えば、特許文献１は、主板体の前後に折り曲げられて形成された前板片及び後板片をそれぞれ有し、両側に側板体がそれぞれ設けられ、一定数の上枠体、側杆体及び底杆体が用いられ、主板体と側板体とが係合される物入れが開示されている。しかし、このような構造は、部品が多すぎる上に構造が複雑であるという欠点があった。
【０００５】
特許文献２において開示されている他の物入れとしては、多数の板体に対応した箇所に対称的な形状を有する複数のフックが設けられ、各フックには嵌合口が形成され、他のフックの嵌合口に交差され、互いに隣接する２つの板体を合体させ、一定形状の物入れを構成する。しかし、このような物入れは取り外した後に板体の表面からフックが突出されるため、重ねることが困難であった。
【０００６】
その他の物入れとしては、予め裁断した平板を折り曲げて形成した物入れ（例えば、特許文献３）がある。このような平板には、複数の挿入片及びスロットが形成され、対応したスロットへ複数の挿入片を係合させると一定の輪郭を保持し、物を収容するための複数の収容空間を形成することができる。ただし、挿入片と平板との接続箇所に断裂が発生し、ボックスが潰れて使用が困難となることがある。
【０００７】
そのため、組立てが容易で使用状態を好適な状態に維持するＤＩＹボックスが求められていた。
【先行技術文献】
【特許文献】
【０００８】
【特許文献１】台湾実用新案登録第Ｍ３６２８３０号公報
【特許文献２】台湾実用新案登録第Ｍ３４８０８２号公報
【特許文献３】台湾実用新案登録第Ｍ３２５９９５号公報
【考案の概要】
【考案が解決しようとする課題】
【０００９】
本考案は、結合が容易な構造により、組立てが容易で使用状態を好適な状態に維持するＤＩＹボックスを提供することを課題とする。
【課題を解決するための手段】
【００１０】
上記課題を解決するために、本考案の第１の形態によれば、板材を含むＤＩＹボックスであって、前記板材は、折り曲げ可能である上、本体、多数の側板、多数組の角部及び多数の厚み部を含み、前記本体は、前記板材の中央部に位置するとともに、多数の縁部を有し、前記側板は、前記本体に対応した前記縁部に折り曲げ可能に接続され、前記角部の各組は、２つの角部を含むとともに、前記側板の両端に折り曲げ可能に接続され、前記厚み部は、前記角部が設けられていない前記側板に折り曲げ可能に接続され、前記側板のそれぞれが前記本体に対して同じ方向で折り曲げられ、前記厚み部を有する前記側板が、二つ折りされた前記厚み部と、両側の前記側板が折り曲げられた前記角部とに接着され、自ら組み立てることが可能なＤＩＹボックスが形成されることを特徴とするＤＩＹボックスが提供される。
【００１１】
多数の両面接着テープをさらに含み、前記接着テープは、前記厚み部を有する前記側板の外表面に接着された一面と、二つ折りされた前記厚み部と両側の側板が折り曲げられた前記角部とに接着された他面と、を有し、前記２つの角部間には厚み部が形成されることが好ましい。
【００１２】
前記本体は略矩形状であるとともに、１対の長辺及び１対の短辺を有し、前記長辺は、折り曲げ可能な長側板と接続され、前記短辺は、折り曲げ可能な短側板と接続され、前記長側板の両端には、折り曲げ可能な角部が接続され、前記短側板は、前記両面接着テープが内側面に接着され、折り曲げ可能な前記厚み部が外縁に延設されていることが好ましい。
【考案の効果】
【００１３】
本考案のＤＩＹボックスは、結合が容易な構造により、組立てが容易で、好ましい使用状態を維持することができる。
【図面の簡単な説明】
【００１４】
【図１】図１は、本考案の一実施形態に係るＤＩＹボックスを組立てる前の板材が開かれた状態を示す平面図である。
【図２】図２は、板材を組み合わせてボックスを組立てるときの連続動作状態を示す説明図である。
【図３】図３は、板材を組み合わせてボックスを組立てるときの連続動作状態を示す説明図である。
【図４】図４は、ボックスの他の使用状態を示す説明図である。
【考案を実施するための形態】
【００１５】
以下、本考案のＤＩＹボックスの実施形態について、図面を参照しながら説明する。
【００１６】
図１を参照する。図１は、本考案の一実施形態に係るＤＩＹボックスを組立てる前の板材が開かれた状態を示す平面図である。図１に示すように、本考案の一実施形態に係るＤＩＹボックスは、板材１２を含む。板材１２は、木材又はパルプからなり、切断装置（図示せず）により一定形状にカットされる。板材１２は、平坦状に形成され、複数本の交差した点線により本体１４、２つの長側板２０、２つの短側板３０及び多数組の角部２２が形成されている。
【００１７】
本体１４は、板材１２の中央部に位置し、長点線２６及び短点線３２により周囲が囲まれて矩形状の領域が形成されている。これら複数の長点線２６及び短点線３２は、本体１４の縁部として用いられ、長側板２０及び短側板３０が周囲に形成されている。
【００１８】
各長側板２０は、本体１４と連通し、長側板２０と本体１４との間には長点線２６が形成され、長点線２６に沿って長側板２０を本体１４に対して所定の角度で折り曲げる。
【００１９】
２つの角部２２は、１組であり、長側板２０の両端に接続される。各角部２２と長側板２０との間には、短点線３２に沿って延びた点線２４が形成され、点線２４に沿って角部２２が本体１４に対して一定の角度で折り曲げられている。
【００２０】
本実施形態の角部２２の形状は、四辺形状であるが、勿論、他の実施形態では三角形又は矩形でもよい。
【００２１】
各短側板３０は、本体１４に対応した縁部に接続され、両者間には短点線３２が形成されている。短側板３０の両端と角部２２との間には隙間２８が形成され、短点線３２に沿って短側板３０を本体１４に対して折り曲げる。短側板３０の縁部には、厚み部３４が延設され、短側板３０の縁部と厚み部３４との間には小点線３６が形成され、小点線３６に沿って厚み部３４を短側板３０に対して折り畳む。厚み部３４は、短側板３０の縁部中央に位置することが好ましく、短側板３０と略等しい幅を有し、短側板３０より短いことが好ましい。
【００２２】
また板材１２は、２段の両面接着テープ４０に接着され、各段の接着テープ４０の一面が短側板３０の外表面に接着される。
【００２３】
図２及び図３に示すように、長側板２０及び短側板３０が本体１４に対して同じ方向で折り曲げられ、各角部２２が接着テープ４０を介して互いに隣接した短側板３０に接着され、厚み部３４を二つ折りにして短側板３０の内側面に接着し、厚み部３４の両辺が角部２２に対して隣接するため、短側板３０の厚さが増大し、ボックス１０を自ら作る目的を達成し、使用状態を好ましい状態に維持することができる。
【００２４】
次に図４を参照する。図４は、ボックスの他の使用状態を示す説明図である。図４に示すように、本考案の一実施形態に係るＤＩＹボックスは、体積が異なる２つのボックスである。底箱１６は、小さ目のボックスであり、上蓋１８は、大き目のボックスであり、上蓋１８により底箱１６を覆って密閉容器を構成する。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  ボックス
１２  板材
１４  本体
１６  底箱
１８  上蓋
２０  長側板
２２  角部
２４  点線
２６  長点線
２８  隙間
３０  短側板
３２  短点線
３４  厚み部
３６  小点線
４０  接着テープ
【図１】
0003191853.tif 000003
【図２】
0003191853.tif 000004
【図３】
0003191853.tif 000005
【図４】
0003191853.tif 000006